(57)【要約】【課題】  パレットの内部への水の浸入を極力回避できるパレット用識別器を提供すること。【解決手段】  このパレット用識別器１０は、熱可塑性樹脂製の第一の板状部１１と当該第一の板状部１１の一主面１１１から所定の方向に延びる第二の板状部１３とを有し、第一の板状部１１の一主面１１１に、当該一主面１１１と第二の板状部１３との接合部分を囲むように突起部１２が形成され、第二の板状部１３に沿うように無線識別タグ１４が配置されている。【選択図】  図１
2005104498.tif 000002
【特許請求の範囲】
【請求項１】
熱可塑性樹脂製の第一の板状部と当該第一の板状部の一主面から所定の方向に延びる第二の板状部とを有し、
前記第一の板状部の一主面に、当該一主面と前記第二の板状部との接合部分を囲むように突起部が形成され、
前記第二の板状部に沿うように無線識別タグが配置されている、パレット用識別器。
【請求項２】
前記突起部は、前記接合部分を閉じた領域内に配置するように環状に形成される第一の突起部分と、
当該第一の突起部分を閉じた領域内に配置するように環状に形成される第二の突起部分と、から構成される請求項１に記載のパレット用識別器。
【請求項３】
請求項１又は２に記載のパレット用識別器と、当該パレット識別器を取り付けるパレットとを準備する工程と、
前記パレットの側面に前記パレット用識別器の第二の板状部が挿入可能な穴を穿つ工程と、
前記パレット用識別器の第二の板状部を前記穴に挿入し、前記パレット用識別器の突起部を前記穴の周辺部分に当接させる工程と、
前記パレット用識別器を前記穴の周辺部分に当接させた状態で、溶着用ホーンによって前記パレット用識別器を前記パレットの方向に加圧する工程と、
前記溶着用ホーンを振動させて、前記パレット用識別器を前記パレットに溶着させる工程と、
を含む識別物装着方法。
【請求項４】
パレット用識別器が取り付けられているパレットと、当該取り付けられているパレット用識別器と交換するための新たなパレット用識別器であって請求項１又は２に記載の新たなパレット用識別器と、を準備する工程と、
当該パレットに取り付けられているパレット用識別器の第一の板状部と第二の板状部との接合部分が除去できるように、当該第一の板状部に穴を穿つ工程と、
当該穴を穿った第一の板状部を前記パレットから除去する工程と、
当該第一の板状部を除去したパレットに形成されている穴に、前記新たなパレット用識別器の第二の板状部を挿入し、当該新たなパレット用識別器の突起部を前記穴の周辺部分に当接させる工程と、
前記新たなパレット用識別器を前記穴の周辺部分に当接させた状態で、溶着用ホーンによって前記新たなパレット用識別器を前記パレットの方向に加圧する工程と、
前記溶着用ホーンを振動させて、前記新たなパレット用識別器を前記パレットに溶着させる工程と、を含む識別物装着方法。
【発明の詳細な説明】
【技術分野】
【０００１】
本発明は、パレット用識別器及び識別器装着方法に関するものである。
【背景技術】
【０００２】
複数の荷物をトラックや貨車などを用いて運搬する際には、パレットに荷物をまとめて積載し、そのパレットごとトラックや貨車に積み込むことが行われている。このパレット個々を識別して流通の効率化を図るためにＩＤタグといった無線識別タグをパレットに取り付けることが行われている（特許文献１参照。）。
【特許文献１】特開平９−２５４９８３号公報
【発明の開示】
【発明が解決しようとする課題】
【０００３】
従来の技術は、ホルダーに装着したＩＤタグをパレットに穿たれた穴に挿入して固定するものであった。この場合にホルダーは、パレットに穿たれた穴と嵌めあわされることで固定されている。従って、パレットの穴とホルダーとの隙間から水がパレットの内部に浸入する場合がある。
【０００４】
そこで本発明では、パレットの内部への水の浸入を極力回避できるパレット用識別器及び識別器装着方法を提供することを課題とする。
【課題を解決するための手段】
【０００５】
本発明のパレット用識別器は、熱可塑性樹脂製の第一の板状部と当該第一の板状部の一主面から所定の方向に延びる第二の板状部とを有し、第一の板状部の一主面に、当該一主面と第二の板状部との接合部分を囲むように突起部が形成され、第二の板状部に沿うように無線識別タグが配置されている。
【０００６】
本発明のパレット用識別器によれば、第一の板状部の一主面から第二の板状部が所定の方向に延びており、その所定の方向に沿って無線識別タグが配置されている。従って、第一の板状部の一主面を穴のあいたパレットの壁面に沿うように配置すると、第二の板状部及び無線識別タグがその穴の中に挿入されることとなり、第二の板状部及び無線識別タグをパレットの内部に配置できる。また、一主面と第二の板状部との接合部分を囲むように突起部が形成されているので、挿入する穴の大きさを第二の板状部及び無線識別タグの大きさよりも大きく、突起部の外周よりも小さくなるように形成すれば、突起部によって穴を取り囲むことができるのでパレットの内部への水の浸入を防止できる。
【０００７】
また本発明では、突起部は、接合部分を閉じた領域内に配置するように環状に形成される第一の突起部分と、当該第一の突起部分を閉じた領域内に配置するように環状に形成される第二の突起部分と、から構成されることも好ましい。突起部が第一の突起部分とそれを囲むように形成されている第二の突起部分とで構成されているので、パレットに対する密着性を向上でき、パレット内部への水の浸入をより効果的に防止できる。
【０００８】
本発明の識別器装着方法は、上述のパレット用識別器と、当該パレット識別器を取り付けるパレットとを準備する工程と、パレットの側面にパレット用識別器の第二の板状部が挿入可能な穴を穿つ工程と、パレット用識別器の第二の板状部を穴に挿入し、パレット用識別器の突起部を穴の周辺部分に当接させる工程と、パレット用識別器を穴の周辺部分に当接させた状態で、溶着用ホーンによってパレット用識別器をパレットの方向に加圧する工程と、溶着用ホーンを振動させて、パレット用識別器をパレットに溶着させる工程と、を含む。
【０００９】
本発明の識別器装着方法によれば、パレット用識別器の第一の板状部の一主面をパレットにあけた穴に沿うように配置し、第二の板状部及び無線識別タグが穴の中に挿入されるので、第二の板状部及び無線識別タグをパレットの内部に配置できる。突起部を穴の周辺部分に当接させて溶着するので、突起部が穴を取り囲むようにしてパレットと溶着され、パレットの内部への水の浸入を防止できる。
【００１０】
本発明の識別器装着方法は、パレット用識別器が取り付けられているパレットと、当該取り付けられているパレット用識別器と交換するための新たなパレット用識別器であって上述の新たなパレット用識別器と、を準備する工程と、当該パレットに取り付けられているパレット用識別器の第一の板状部と第二の板状部との接合部分が除去できるように、当該第一の板状部に穴を穿つ工程と、当該穴を穿った第一の板状部をパレットから除去する工程と、当該第一の板状部を除去したパレットに形成されている穴に、新たなパレット用識別器の第二の板状部を挿入し、当該新たなパレット用識別器の突起部を穴の周辺部分に当接させる工程と、新たなパレット用識別器を穴の周辺部分に当接させた状態で、溶着用ホーンによって新たなパレット用識別器をパレットの方向に加圧する工程と、溶着用ホーンを振動させて、新たなパレット用識別器をパレットに溶着させる工程と、を含む。
【００１１】
本発明の識別器装着方法によれば、パレットに取り付けられているパレット用識別器の第一の板状部と第二の板状部との接合部分が除去できるように、当該第一の板状部に穴を穿つので、第二の板状部及び無線識別タグを除去できる。また、穴を穿った後の第一の板状部を除去するので、容易にパレットから第一の板状部を除去できる。更に、新たなパレット用識別器の第一の板状部の一主面をパレットにあけた穴に沿うように配置し、第二の板状部及び無線識別タグが穴の中に挿入されるので、第二の板状部及び無線識別タグをパレットの内部に配置できる。突起部を穴の周辺部分に当接させて溶着するので、突起部が穴を取り囲むようにしてパレットと溶着され、パレットの内部への水の浸入を防止できる。
【発明の効果】
【００１２】
本発明によれば、第一の板状部の一主面から第二の板状部が所定の方向に延びており、その所定の方向に沿って無線識別タグが配置されている。従って、第一の板状部の一主面を穴のあいたパレットの壁面に沿うように配置すると、第二の板状部及び無線識別タグがその穴の中に挿入されることとなり、第二の板状部及び無線識別タグをパレットの内部に配置できる。また、一主面と第二の板状部との接合部分を囲むように突起部が形成されているので、挿入する穴の大きさを第二の板状部及び無線識別タグの大きさよりも大きく、突起部の外周よりも小さくなるように形成すれば、突起部によって穴を取り囲むことができるのでパレットの内部への水の浸入を防止できる。従って本発明の目的とする、パレットの内部への水の浸入を極力回避できるパレット用識別器及び識別器装着方法を提供することができた。
【発明を実施するための最良の形態】
【００１３】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１４】
本発明の実施形態であるパレット用識別器１０について図１（ａ）〜図１（ｃ）を参照しながら説明する。図１（ａ）は、パレット用識別器１０の正面図である。図１（ｂ）は、図１（ａ）のＩ−Ｉ断面図である。図１（ｃ）は、パレット用識別器１０の側面図である。パレット用識別器１０は、第一の板状部１１と、突起部１２と、第二の板状部１３と、無線識別タグ１４と、把持部１５と、を備える。
【００１５】
第一の板状部１１は、熱可塑性樹脂を用いて形成されている円盤状の部分である。この熱可塑性樹脂は、パレット用識別器１０を取り付けるパレットの材質と同じ物が用いられる。この第一の板状部１１の外径は、第二の板状部１３が挿入されるパレットの穴（詳細は後述する。）を覆うのに十分な寸法が設定される。第一の板状部１１の一主面１１１には、突起部１２及び第二の板状部１３が形成されている。
【００１６】
第二の板状部１３は、第一の板状部１１の一主面１１１から所定の方向（垂直方向）に延びるように形成されている。第二の板状部１３の一主面１３１に沿うように無線識別タグ１４が配置されている。この無線識別タグ１４は、第二の板状部１３の一主面１３１から延出する二つの把持部１５で挟み込まれて把持されている。把持部１５は、無線識別タグ１４を挟み込むことができるようなツメ状の部分として形成されている。
【００１７】
無線識別タグ１４は、マイクロ波といった無線を使用して外部の読み取り又は書き込み装置との間で、データの送受信をすることが可能なように構成されている。無線識別タグ１４には、システムエリア及びユーザエリアの各メモリ領域がある。システムエリアでは、無線識別タグ１４の個体番号を管理している。このシステムエリアには、タグ製造時に所定の初期情報が書き込まれている。ユーザエリアには、企業コード、積載商品コード、製造年月日、積載商品別数量、及び納品先コードが読み込まれたり、書き換えられたりする。
【００１８】
突起部１２は、第一の板状部１１の一主面１１１に形成される第一の突起部分１２１と第二の突起部分１２２とで構成されている。第一の突起部分１２１は、断面が三角形状で環状に構成されており、その環状の閉じた領域内に第一の板状部１１と第二の板状部１３との接合部分が配置されるように構成されている。従って、第一の突起部分１２１はその接合部分を取り囲むように構成されている。また、第二の突起部分１２２は、断面が三角形状で環状に構成されており、その環状に閉じた領域内に第一の突起部分１２１が配置されるように構成されている。従って、第二の突起部分１２２は第一の突起部分１２１を取り囲むように構成されている。
【００１９】
本発明の実施形態であるパレット用識別器１０をパレットに装着した状態について図２を用いて説明する。図２は、パレット用識別器１０をパレット２０に装着した様子を示す図である。パレット２０は、直方体形状の物体であり、合成樹脂によって形成されている。パレット２０を構成する面の内で最も面積の広い面は積載面２０３として使用され、その積載面２０３に対向する面は裏面である。
【００２０】
パレット２０の側面は、フォーク差込口面２０１と桁面２０２とで構成される。フォーク差込口面２０１は二面あり、それぞれのフォーク差込口面２０１は対向して配置されている。フォーク差込口面２０１は二つのフォークポケット２０４を有している。フォークポケット２０４には、フォークリフトやハンドリフトのフォークが差し込まれる。パレット２０を運搬する際には、フォークポケット２０４に差し込んだフォークを持ち上げてパレット２０を保持して運搬する。各フォークポケット２０４は、一のフォーク差込口面２０１から対向するフォーク差込口面２０１まで貫通している。桁面２０２も二面あり、フォーク差込口面２０１に隣接して配置されている。この桁面２０２にはフォークポケットといった開口部は設けられていない。
【００２１】
パレット用識別器１０は、図２に示すように、パレット２０の積載面２０３や桁面２０２に穴を穿って、その穴に合わせて配置されている。また、パレット用識別器１０はパレット２０のフォーク差込口面２０１のフォークポケット２０４間に穴を穿って、その穴に合わせて配置されてもよい。
【００２２】
引き続いて、パレット用識別器１０をパレット２０に装着する方法について図３（ａ）〜図３（ｃ）を用いて説明する。図３（ａ）〜図３（ｃ）は、パレット用識別器１０をパレット２０に装着する手順を説明するための図である。まず、図３（ａ）に示すように、パレット用識別器１０とパレット２０とを準備する。次に、パレット用識別器１０を装着しようとする面である桁面２０２に穴２０２ａを穿つ。穴２０２ａの直径は、パレット用識別器１０の第二の板状部１３及び無線識別タグ１４が挿入可能なような直径に設定されており、更にパレット用識別器１０の第一の板状部１１に形成されている突起部１２の直径よりも小さくなるように設定されている。
【００２３】
次に、図３（ｂ）に示すように、パレット２０の桁面２０２に穿った穴２０２ａにパレット用識別器１０を挿入する。パレット用識別器１０の第二の板状部１３及び無線識別タグ１４は、パレット２０の内部に配置される。この状態で、超音波溶着装置の溶着用ホーン３０で図３（ｂ）の矢印Ａ方向にパレット用識別着１０を加圧する。超音波溶着装置全体については図示しないが、ここで用いられる超音波溶着装置は、位置決めシリンダ、超音波アクチュエータ、超音波発振器、溶着用ホーン３０といった部分から構成される。
【００２４】
超音波溶着装置は、位置決めシリンダでパレット２０を保持して、溶着用ホーン３０との位置関係を調整する。超音波発振器が発生する超音波振動は、超音波アクチュエータを介して溶着用ホーンに伝達される。超音波発振器としては、電歪型振動子又は磁歪型振動子が用いられる。超音波アクチュエータはブースターを含み、超音波発振器から伝達された超音波振動はブースターでその振動振幅が拡大されて溶着用ホーン３０に伝達される。
【００２５】
超音波アクチュエータと溶着用ホーン３０とは、図３（ｂ）における矢印Ａ方向に沿った所定の軸に沿って締結されている。溶着用ホーン３０はこの所定の軸に沿って図３（ｂ）における左右方向に動くことができるように構成されている。従って、溶着用ホーン３０は、図３（ｂ）におけるパレット用識別器１０の第一の板状部１１の位置まで移動してパレット２０との間でパレット用識別器１０を加圧しながら保持し、超音波振動を印加することでパレット用識別器１０をパレット２０に溶着する。パレット用識別器１０がパレット２０に溶着されると、パレット用識別器１０の第一の板状部１１に形成されている突起部１２が押しつぶされるように溶着されることになり、図３（ｃ）のような状態となる。
【００２６】
図３（ｃ）において、パレット用識別器１０の断面も描いた様子を図４に示す。図４に示すように、パレット２０の桁面２０２に設けられた穴２０２ａに第二の板状部１３が挿入されている。第一の板状部１１に設けられている第一の突起部分１２１及び第二の突起部分１２２は、穴２０２ａを取り囲むように配置されて溶着されている。従って、穴２０２ａは、第一の突起部分１２１及び第二の突起部分１２２によってふさがれていることになり、パレット２０の内部に洗浄水等が浸入することがない。
【００２７】
尚、本実施形態で用いられる溶着用ホーン３０は、直方体の原材料ブロック（ジュラルミン製）から削り出されて形成されている。溶着用ホーン３０がパレット用識別器１０の第一の板状部１１に当接する面には凸部が設けられている。この凸部の断面は弓状となっている。
【００２８】
引き続いて、パレット用識別器１０がパレット２０に装着されている場合に、そのパレット用識別器１０を新たなパレット用識別器１０に取り替えて装着する方法について図５（ａ）〜図５（ｃ）を用いて説明する。図５（ａ）〜図５（ｃ）は、既に装着されているパレット用識別器１０をパレット２０から取り外す手順を説明するための図である。図５（ａ）に示すように、パレット用識別器１０が装着されているパレット２０を準備する。ここで、パレット用識別器１０の第二の板状部１３を除去するために溶着用ホーン４０を準備する。この溶着用ホーン４０は、図３（ｂ）で説明した溶着用ホーン３０と同様に超音波溶着装置の一部として機能するが、この場合には第二の板状部１３と第一の板状部１１との接合部分を溶かして除去するために用いられる。溶着用ホーン４０の直径は、パレット２０の桁面２０２に設けられている穴２０２ａの直径よりも小さく、第二の板状部１３の幅よりも広い寸法が設定されている。この溶着用ホーン４０の中心線と穴２０２ａの中心線（又は第一の板状部１１の中心線）とを合わせて、溶着用ホーン４０を図５（ａ）中の矢印Ｂ方向に移動させる。溶着用ホーン４０がパレット識別器１０の第一の板状部１１に当接したら、溶着用ホーン４０を超音波振動させて更に矢印Ｂ方向に移動させて第一の板状部１１に穴１１ａを開けて、第二の板状部１３を除去する。この除去した様子を図５（ｂ）に示す。
【００２９】
図５（ｂ）は、パレット識別器１０の第一の板状部１１に穴１１ａが開いた様子を示すために、第一の板状部１１についても断面で示している。このように第一の板状部１１に穴１１ａを開けて第二の板状部１３を除去すると、パレット２０の桁面２０２に沿う方向に第一の板状部１１を動かそうとする際に第二の板状部１３が妨げとなることがない。従って、第一の板状部１１に対して桁面２０２に沿う方向に力を加えると、第一の突起部分１２１及び第二の突起部分１２２がパレット２０から剥離し、第一の板状部１１もパレット２０から除去できる。
【００３０】
パレット２０からパレット識別器１０を除去した様子を図５（ｃ）に示す。このように装着されていたパレット識別器１０をパレット２０から除去すると、図３（ａ）に示すパレット２０の状態と同様の状態になる。従って、新たなパレット識別器１０を準備し、図３（ａ）〜図３（ｃ）で説明したのと同様の方法をとることで、新たなパレット識別器１０をパレット２０に装着できる。
【００３１】
この実施形態によれば、パレット用識別器１０では、第一の板状部１１の一主面１１１から第二の板状部１３が所定の方向に延びており、その所定の方向に沿って無線識別タグ１４が配置されている。従って、第一の板状部１１の一主面１１１を穴２０２ａのあいたパレット２０の桁面２０２に沿うように配置すると、第二の板状部１３及び無線識別タグ１４がその穴２０２ａの中に挿入されることとなり、第二の板状部１３及び無線識別タグ１４をパレット２０の内部に配置できる。また、パレット用識別器１０の第一の板状部１１の一主面１１１と第二の板状部１３との接合部分を囲むように突起部１２が形成されているので、挿入する穴２０２ａの大きさを第二の板状部１３及び無線識別タグ１４の大きさよりも大きく、突起部１２の外周よりも小さくなるように形成すれば、突起部１２によって穴２０２ａを取り囲むことができるのでパレット２０の内部への水の浸入を防止できる。
【００３２】
また、突起部１２が第一の突起部分１２１とそれを囲むように形成されている第二の突起部分１２２とで構成されているので、パレット２０に対する密着性を向上でき、パレット２０内部への水の浸入をより効果的に防止できる。
【図面の簡単な説明】
【００３３】
【図１】本発明の実施形態であるパレット用識別器を示した図である。
【図２】本発明の実施形態であるパレット用識別器をパレットに装着した様子を示した図である。
【図３】本発明の実施形態であるパレット用識別器をパレットに取り付ける方法を示した図である。
【図４】本発明の実施形態であるパレット用識別器をパレットに装着した様子を示した図である。
【図５】本発明の実施形態であるパレット用識別器をパレットから取り外す方法を示した図である。
【符号の説明】
【００３４】
１０…パレット用識別器１０、１１…第一の板状部、１２…突起部、１３…第二の板状部、１４…無線識別タグ、１５…把持部、１１１…一主面、１２１…第一の突起部分、１２２…第二の突起部分、１３１…一主面。
【図１】
2005104498.tif 000003
【図２】
2005104498.tif 000004
【図３】
2005104498.tif 000005
【図４】
2005104498.tif 000006
【図５】
2005104498.tif 000007